(57)【要約】【課題】机上面の端部に表示装置を設置し、ユーザ操作用の操作部を設ける構成において、操作部に表示画面が映り込んで反射することで操作性を阻害しないようにする。【解決手段】表示装置付机（１）は、机の天板（１１）と、天板（１１）の上面の一方の端部に、表示装置（２０）の表示画面（２１）を天板（１１）の反対側の端部に向けて、表示装置（２０）が設置され、天板（１１）には、ユーザによる操作入力を可能とする操作部（３０）を有する。表示画面（２１）の中心位置を通る表示画面（２１）の法線と、表示装置（２０）が設置された端部と反対側の天板（１１）の端部位置における天板（１１）の法線とが交わる位置に視点があるとき、少なくとも操作部（３０）に反射した表示画面（２１）が、視点がある位置で少なくとも一部が視認されない位置に、操作部（３０）が設置されている。【選択図】図６
2017042501.tif 000002
【特許請求の範囲】
【請求項１】
机の天板と、該天板の上面の一方の端部に、表示装置の表示画面を前記天板の反対側の端部に向けて、前記表示装置を設置した表示装置付机であって、
前記天板には、操作入力を可能とする操作部を有し、
前記表示画面の中心位置を通る前記表示画面の法線と、前記表示装置が設置された端部と反対側の前記天板の端部位置における前記天板の法線とが交わる位置に視点があるとき、前記操作部に反射した前記表示画面の少なくとも一部が視認されない位置に、前記操作部が設置されていることを特徴とする表示装置付机。
【請求項２】
請求項１に記載の表示装置付机において、前記操作部に反射した前記表示画面が、前記視点がある位置で全く視認されない位置に、前記操作部が設置されていることを特徴とする表示装置付机。
【請求項３】
請求項１に記載の表示装置付机において、前記操作部に反射した前記表示画面が、前記視点がある位置で、前記操作部の面積の半分以上の大きさで視認されない位置に、前記操作部が設置されていることを特徴とする表示装置付机。
【請求項４】
机の天板と、該天板の上面の一方の端部に、表示装置の表示画面を前記天板の反対側の端部に向けて、前記表示装置を設置した表示装置付学習机であって、前記天板には、操作入力を可能とする操作部を有し、
前記表示画面の中心位置を通る表示画面の法線に対して、前記表示画面から該表示画面の幅方向に所定角度をもつ範囲内であり、かつ前記表示装置が設置された端部と反対側の天板の端部位置における天板の法線とが交わる位置の範囲内に視点があるとき、
少なくとも前記操作部に反射した前記表示画面の少なくとも一部が視認されない位置に、前記操作部が設置されていることを特徴とする表示装置付机。
【請求項５】
請求項４に記載の表示装置付机において、前記操作部に反射した前記表示画面が、前記範囲内に視点がある位置で全く視認されない位置に、前記操作部が設置されていることを特徴とする表示装置付机。
【請求項６】
請求項４に記載の表示装置付机において、前記操作部に反射した前記表示画面が、前記範囲内に視点がある位置で、前記操作部の面積の半分以上の大きさで視認されない位置に、前記操作部が設置されていることを特徴とする表示装置付机。
【請求項７】
天板を有し、該天板の上面の一方の端部の所定位置に、表示装置の表示画面を前記天板の反対側の端部に向けて、前記表示装置を設置可能な机であって、
前記天板には、操作入力を可能とする操作部を有し、
前記天板の前記所定位置に前記表示装置を設置した際、前記表示画面の中心位置を通る前記表示画面の法線と、前記表示装置が設置された端部と反対側の前記天板の端部位置における前記天板の法線とが交わる位置に視点があるとき、前記操作部に反射した前記表示画面の少なくとも一部が視認されない位置に、前記操作部が設置されていることを特徴とする机。
【発明の詳細な説明】
【技術分野】
【０００１】
本発明は、表示装置付机および表示装置を設置可能な机に関し、より詳細には、机上面に対して表示装置を設置した表示装置付机および机上面に表示装置を設置可能な机に関する。
【背景技術】
【０００２】
教育環境自体のＩＴ（Information Technology）化として、タブレット等の情報端末の１人１台配備、学校の高速ブロードバンド接続、電子黒板、無線ＬＡＮ環境整備、デジタル教科書・教材の活用等、初等教育段階から教育環境自体のＩＴ化を進め、児童生徒等の学力の向上とＩＴリテラシーの向上を図る、との政府案が検討されている。これらの取り組みにより、２０１０年代中には、全ての小学校、中学校、高等学校、特別支援学校で教育環境のＩＴ化を実現するものとされている。
【０００３】
学習環境を整える学習机に関して、例えば学習机に設置した表示装置に教材等の画像を適宜表示させながら学習を行うようにすることが考えられる。
例えば特許文献１には、コンピュータ入出力作業を行うことができるとともに、通常のデスクとしての使用を可能にすることを目的としたシステムデスクが開示されている。このシステムデスクは、上部天板と下部天板とにより天板が構成されており、上部天板と下部天板との間には隙間が設けられている。この隙間内にはキーボード及びディスプレイが収納されている。天板の一部は切り欠かれており、この切り欠いた部分に可動天板が配置されている。可動天板は、昇降機構によって昇降自在とされ、この可動天板が下降した位置にある時に、前記隙間からキーボード及びディスプレイを可動天板上に移動させることができる。
【０００４】
また、特許文献２には、情報機器を何時でも簡便に利用でき、収納が簡単にできることを目的とした情報機器組込机が開示されている。この机は、机の筆記台の下部に側部を支点として上方に開く蓋を備えた引出しを設け、同引出しの内部に情報機器を収納する。一方、情報機器の表示部を蓋の裏面に取付ける。情報機器を使用する時には引出しを引出し、蓋を開いて操作を行い、使用しない時には蓋を閉じて引出しを机に収納する。
【先行技術文献】
【特許文献】
【０００５】
【特許文献１】特開平０８−１５００２４号公報
【特許文献２】特開平０６−３０９０６６号公報
【発明の概要】
【発明が解決しようとする課題】
【０００６】
上記のように、学校においては、教育環境のＩＴ化を実現する取組みが行われているが、家庭における子供の学習環境については、ＩＴ化が進んでいるとは言えないのが実情である。例えば、家庭では、ノートＰＣ（ノート型パーソナルコンピュータ）やタブレット端末を単純に学習に使用することは行われているが、学習机において端末を効率的に使用することができていない。
【０００７】
例えば学習机に表示装置を設置した場合、表示装置の画像を見ながら学習を行うためには、ユーザは、表示された画像に対して操作入力を行って、適宜学習を進める必要が生じる。この場合、表示装置に表示したユーザインタフェースにタッチ操作を行って、学習を進めることが考えられるが、通常、学習机にユーザが座った位置の反対側端部に表示装置を設置した学習机の場合には、表示装置の表示面まで手が届かない場合もあり、手が届いても操作しにくい、という問題が生じる。
【０００８】
そこで表示装置の表示画面に表示されたユーザインタフェースを簡便でかつ直感的に操作できる構成が求められる。このためには、机上にタッチパネルを設け、表示装置の表示画面の座標位置とタッチパネルの座標位置とを関連付けることにより、机上のタッチパネルによる操作が可能となる。この場合、表示画面と同じモニタを机上に取り付け、モニタ上に例えば静電容量方式のタッチパネルを設け、表示装置の表示画面と同じ画面をモニタに表示させることで、タッチ操作が可能となる。しかしながら、この場合、机上にも別のモニタを設けなければならず、構成が複雑になりコストアップの要因となる。
【０００９】
このような問題を解消するために、タッチパネルのみを机上に設け、そのタッチパネルの下に画面操作用のテンプレートを設置することが考えられる。テンプレートには、キー表示や各種ボタン類などの選択要素を予め印刷しておき、そのテンプレートに合わせて表示装置にユーザインタフェースを表示させる。ユーザがタッチパネルの特定の位置をタッチすると、その座標に対応したユーザインタフェースの位置がタッチ操作されたものとして制御することで、机上のタッチパネルを用いた直感的な操作を行うことができる。
【００１０】
また、タッチパネル以外にもデジタルペンによるタッチ入力操作が可能なシステムが知られている。このデジタルペンは、場所により異なるパターンのドットが紙面に配置され、デジタルペンに内蔵されたカメラがそのドットパターンを撮影する。そして撮影したドットパターンをデジタルペンが内蔵しているプロセッサが処理して、座標位置が計算される。この座標位置を表示装置に送るようにする。デジタルペンを入力するためのドットパターンを印刷した紙には、画面操作用のテンプレートを予め印刷しておき、そのテンプレートに合わせて表示装置にユーザインタフェースを表示させる。ドットパターンを印刷した紙の表面には、紙を保護するためのガラスやアクリルなどの透明プレートを配置する。あるいはドットパターンを透明プレートの方に印刷するようにしてもよい。
そしてデジタルペンのタッチ位置に応じて、そのドットパターンから計算した座標に対応したユーザインタフェースの位置がタッチ操作されたものとして制御する。これにより、机上のドットパターンとデジタルペンを用いた直感的な操作を行うことができる。
【００１１】
上記のように、机上にタッチパネルやデジタルペン操作用のプレートを配置する場合、ユーザは手元で直観的な操作を行うことができるが、表示装置を設置した学習机の前にユーザが座った場合、ユーザのすぐ前の机上に設けられたタッチパネルないしデジタルペン操作用の透明プレートに対して表示装置の表示画面が映り込んで反射し、テンプレートの視認性が悪化して操作性が悪くなる、という課題が生じる。
【００１２】
上記特許文献１の情報機器組込机は、机にディスプレイを設置し、机上に操作部であるキーボードを置くようにしている。また、特許文献２の情報機器組込机は、机にディスプレイを設置し、操作部であるキーボードを埋め込んでいる。しかしながら、特許文献１および特許文献２のいずれにおいても、机内にディスプレイとコンピュータを安全に収納することを目的としており、操作部に対する表示装置の表示画面の映り込みによる操作性の悪化については何ら言及されていない。
【００１３】
本発明は、上述のごとき実情に鑑みてなされたものであり、机上面の端部に表示装置を設置し、ユーザによる操作入力用の操作部を机上に設ける構成において、操作部の表面に表示画面が映り込んで反射することで操作性を阻害することがないようにした表示装置付および表示装置を設置可能な机を提供することを目的とする。
【課題を解決するための手段】
【００１４】
上記課題を解決するために、本発明の第１の技術手段は、机の天板と、該天板の上面の一方の端部に、表示装置の表示画面を前記天板の反対側の端部に向けて、前記表示装置を設置した表示装置付机であって、前記天板には、操作入力を可能とする操作部を有し、前記表示画面の中心位置を通る前記表示画面の法線と、前記表示装置が設置された端部と反対側の前記天板の端部位置における前記天板の法線とが交わる位置に視点があるとき、前記操作部に反射した前記表示画面の少なくとも一部が視認されない位置に、前記操作部が設置されていることを特徴としたものである。
【００１５】
第２の技術手段は、第１の技術手段において、前記操作部に反射した前記表示画面が、前記視点がある位置で全く視認されない位置に、前記操作部が設置されていることを特徴としたものである。
【００１６】
第３の技術手段は、第１の技術手段において、前記操作部に反射した前記表示画面が、前記視点がある位置で、前記操作部の面積の半分以上の大きさで視認されない位置に、前記操作部が設置されていることを特徴としたものである。
【００１７】
第４の技術手段は、机の天板と、該天板の上面の一方の端部に、表示装置の表示画面を前記天板の反対側の端部に向けて、前記表示装置を設置した表示装置付机であって、前記天板には、操作入力を可能とする操作部を有し、前記表示画面の中心位置を通る表示画面の法線に対して、前記表示画面から該表示画面の幅方向に所定角度をもつ範囲内であり、かつ前記表示装置が設置された端部と反対側の天板の端部位置における天板の法線とが交わる位置の範囲内に視点があるとき、少なくとも前記操作部に反射した前記表示画面の少なくとも一部が視認されない位置に、前記操作部が設置されていることを特徴としたものである。
【００１８】
第５の技術手段は、第４の技術手段において、前記操作部に反射した前記表示画面が、前記範囲内に視点がある位置で全く視認されない位置に、前記操作部が設置されていることを特徴としたものである。
【００１９】
第６の技術手段は、第４の技術手段において、前記操作部に反射した前記表示画面が、前記範囲内に視点がある位置で、前記操作部の面積の半分以上の大きさで視認されない位置に、前記操作部が設置されていることを特徴としたものである。
【００２０】
第７の技術手段は、天板を有し、該天板の上面の一方の端部の所定位置に、表示装置の表示画面を前記天板の反対側の端部に向けて、前記表示装置を設置可能な机であって、前記天板には、操作入力を可能とする操作部を有し、前記天板の前記所定位置に前記表示装置を設置した際、前記表示画面の中心位置を通る前記表示画面の法線と、前記表示装置が設置された端部と反対側の前記天板の端部位置における前記天板の法線とが交わる位置に視点があるとき、前記操作部に反射した前記表示画面の少なくとも一部が視認されない位置に、前記操作部が設置されていることを特徴としたものである。
【発明の効果】
【００２１】
本発明によれば、机上面の端部に表示装置を設置し、ユーザによる操作入力用の操作部を机上に設ける構成において、操作部の表面に表示画面が映り込んで反射することで操作性を阻害することがないようにした表示装置付机および表示装置を設置可能な机を提供することができる。
【図面の簡単な説明】
【００２２】
【図１Ａ】本発明の実施形態に係る表示装置付机の外観構成例を概略的に示す図である。
【図１Ｂ】本発明の実施形態に係る表示装置付机の外観構成の他の例を概略的に示す図である。
【図２】テンプレートの構成の一例を概略的に示すものである。
【図３Ａ】表示装置付机を側方から見たときの視点高さと表示画面の映り込みの状態を説明する図である。
【図３Ｂ】表示装置付机を正面側から見たときの視点高さに応じた表示画面の映り込みの形状を概念的に示す図である。
【図４Ａ】表示装置付机を側方から見たときの奥行き方向の視点位置と表示画面の映り込みの状態を説明する図である。
【図４Ｂ】表示装置付机を正面側から見たときの奥行き方向の視点位置に応じた表示画面の映り込みの形状を概念的に示す図である。
【図５】本発明の第１の実施形態における視点位置を説明するための図である。
【図６】本発明の第１の実施形態における操作部の配置例を示す図である。
【図７】本発明の第２の実施形態における操作部の配置例を示す図である。
【図８】本発明の第３の実施形態における視点位置を説明するための図である。
【図９】本発明の第３の実施形態における操作部の配置例を示す図である。
【図１０】本発明の第４の実施形態における操作部の配置例を示す図である。
【発明を実施するための形態】
【００２３】
図１Ａ及び図１Ｂは、本発明の実施形態に係る表示装置付机の外観構成例を概略的に示す図である。
表示装置付机１は、机１０と、薄型の表示装置２０とが組み合わされて構成されている。表示装置２０は、ＦＰＤ（Flat Panel Display）を用いた薄型の表示装置で、例えば液晶表示パネルを使用した液晶表示装置として構成される。
表示装置２０は、机１０の天板１１の一方の端部に、表示装置２０の表示画面２１を天板１１の反対側の端部に向けて、天板１１の表面に設置されている。この例では、表示装置２０は、天板１１に対して垂直になるように設置されているが、この構成に限定されることなく、表示装置２０が天板１１に対して斜めになるように配置されていてもよい。また、表示装置２０と天板１１との角度が変更可能なチルト機構を設けて、適宜天板１１と表示装置２０との角度を設定できるようにしてもよい。以下は、表示装置２０が天板１１に対して垂直に設けられている構成を例として説明する。
ユーザは、通常、表示装置付机１の前面に座して、表示装置２０の表示画面２１を見ながら、机１０の天板１１を利用して学習等の作業を行うことができる。
【００２４】
表示装置付机１の天板１１の表面には、ユーザ操作用の操作部３０が設けられている。操作部３０は、操作用のテンプレートと、その表面に設けたタッチパネルからなっている。もしくはデジタルペンによる操作用のドットパターンを印刷した紙に操作用のテンプレートを印刷し、その表面にガラスやアクリル板などの保護用の透明プレートを設置した構成からなっている。ドットパターンは、保護用の透明プレートに印刷したものであってもよい。図１Ａ，図１Ｂは、それぞれ異なる位置に操作部３０を設置した例を示している。
【００２５】
図２は、テンプレートの構成の一例を概略的に示すものである。テンプレートには、例えばキーボードやボタン類が予め印刷されている。そしてテンプレートに応じたユーザインタフェースが表示装置２０の表示画面２１に表示される。テンプレート上には、例えばタッチパネルが設けられていて、タッチパネルにタッチしたときの座標位置と、ユーザインタフェースの座標位置が対応し、表示装置２０では、タッチパネルにタッチした座標位置に従って処理を行うことができる。
デジタルペンによる操作も同様であり、デジタルペンに内蔵されたカメラがそのドットパターンを撮影し、撮影したドットパターンをデジタルペンが内蔵しているプロセッサが処理して、座標位置が計算される。この座標位置を表示装置２０に送り、座標位置に応じた処理を表示装置２０で行うことができる。
【００２６】
ユーザは、通常、表示装置付机１の正面に座って表示画面２１を視認し、天板１１を使って学習等の作業を行う。そして操作部３０を操作しながら表示画面２１の表示画面に対する操作入力を行うことができる。
このときに操作部３０には、表示装置２０に表示される表示画面２１が映り込んで反射し、テンプレートの視認性を悪化させて操作性を悪くする。
以下に、まず表示画面の映り込みについて具体的に説明する。
【００２７】
図３Ａおよび図３Ｂは、視点の高さに応じた天板上における画面の映り込み（反射）の形状の一例を説明するための図で、図３Ａは、表示装置付机を側方から見たときの視点高さと表示画面の映り込みの状態を説明する図、図３Ｂは、表示装置付机を正面側から見たときの視点高さに応じた表示画面の映り込みの形状を概念的に示す図である。
図３Ａに示すように、ユーザの視点位置の高さが、位置ａ，ｂ，ｃに変化したものとする。また表示画面２１の高さをＨとし、天板１１の奥行き方向の長さをＬとする。この場合、幅方向（表示装置２０の水平方向）の視点位置は、表示画面の中央に一致しているものとする。また、奥行き方向の視点位置は、表示装置２０が設置された端部とは反対側の天板１１の端部に一致しているものとする。つまり、表示画面２１の法線方向の視点までの長さはＬである。
【００２８】
この場合、視点位置ａのときの天板１１上における表示画面２１の上端位置の反射位置はａ´であり、視点位置ｂのときの天板１１上における表示画面２１の上端位置の反射位置はｂ´であり、視点位置ｃのときの天板１１上における表示画面２１の上端位置の反射位置はｃ´である。つまり、各視点位置で、天板１１上で反射により視認できる表示画面２１の上端位置は、視点が低くなるほど、表示画面２１からの奥行き方向の長さが長くなる位置に移動し、映り込みの反射により視認できる面積が大きくなる。視点位置が高くなるとその逆となり、表示画面２１の上端位置は、表示画面２１からの奥行き方向の長さが短くなる位置に移動する。
【００２９】
図３Ｂに示すように、表示装置付机１の正面から見たときに、表示画面２１が天板１１に映り込み反射する形状は、台形形状になる。つまり視点位置が最も高いａのときに、移り込む表示画面２１の上端はａ´の位置になり、表示画面２１の映り込み形状は、台形形状Ｓ３となる。視点位置がｂのときには、移り込む表示画面２１の上端はｂ´の位置になり、表示画面２１の映り込み形状は、Ｓ３とＳ４を合わせた台形形状となる。視点位置がｃのときには、移り込む表示画面２１の上端はｃ´の位置になり、表示画面２１の映り込み形状は、Ｓ３，Ｓ４、Ｓ５を合わせた台形形状となる。この場合、視点位置の高さが変わってもＳ１，Ｓ２の領域には、表示画面２１の映り込みは視認することができない。
【００３０】
図４Ａおよび図４Ｂは、表示画面から視点までの距離に応じた天板上における画面の映り込み（反射）の形状を説明するための図で、図４Ａは、表示装置付机を側方から見たときの奥行き方向の視点位置と表示画面の映り込みの状態を説明する図、図４Ｂは、表示装置付机を正面側から見たときの奥行き方向の視点位置に応じた表示画面の映り込みの形状を概念的に示す図である。
図４Ａに示すように、ユーザの視点位置が、位置ｄ，ｅ，ｆに変化したものとする。また表示画面２１の高さをＨとし、天板１１の奥行き方向の長さをＬとする。この場合、幅方向（表示装置２０の水平方向）の視点位置は、表示画面の中央に一致しているものとする。また、高さの視点位置は、表示画面の高さの半分（Ｈ／２）の位置にあるものとする。
【００３１】
この場合、視点位置ｄのときの天板１１上における表示画面２１の上端位置の反射位置はｄ´であり、視点位置ｅのときの天板１１上における表示画面２１の上端位置の反射位置はｅ´であり、視点位置ｆのときの天板１１上における表示画面２１の上端位置の反射位置はｆ´である。つまり、各視点位置で、天板１１上で反射により視認できる表示画面２１の上端位置は、表示画面２１から視点までの距離が長くなるほど、表示画面２１からの奥行き方向の長さが長くなる位置に移動し、映り込みの反射により視認できる面積が大きくなる。表示画面２１から視点までの距離が短くなるとその逆となり、表示画面２１の上端位置は、表示画面２１からの奥行き方向の長さが短くなる位置に移動する。
【００３２】
図４Ｂに示すように、表示装置付机１の正面から見たときに、表示画面２１が天板１１に映り込み反射する形状は、台形形状になる。つまり表示画面からの視点位置が最も近いｆのときに、移り込む表示画面２１の上端はｆ´の位置になり、表示画面２１の映り込み形状は、破線で示す台形形状Ｓ６となる。視点位置がｅのときには、移り込む表示画面２１の上端はｅ´の位置になり、表示画面２１の映り込み形状は、一点鎖線で示す台形形状Ｓ７となる。視点位置がｄのときには、移り込む表示画面２１の上端はｄ´の位置になり、表示画面２１の映り込み形状は、２点鎖線で示す台形形状Ｓ８となる。この場合、表示画面から視点までの距離が変わってもＳ９，Ｓ１０の領域には、表示画面２１の映り込みは視認することができない。
【００３３】
以下に本発明に係る実施形態を具体的に説明する。なお、以下の実施形態では、机の天板の上面の一方の端部に、表示画面を天板の反対側の端部に向けて、表示装置を設置した表示装置付机の構成例を説明するが、表示装置を設置可能な状態の机（学習机）も本発明に係る実施形態に含む。この場合、机は、天板の上面の一方の端部の所定位置に、表示画面を天板の反対側の端部に向けて、表示装置を設置可能な机として構成され、その机に対して、所定位置に表示装置を設置した際に、下記の実施形態に示すような機能を実現するものとする。
【００３４】
（実施形態１）
本発明に係る実施形態は、表示装置付机１の天板１１には、ユーザ操作用の操作部３０が設けられている。操作部３０は、操作用のテンプレートとその表面に設けたタッチパネルにより構成される。もしくは操作部３０は、デジタルペンによる操作用のテンプレートとその表示面の保護用の透明プレートから構成することができる。
これらの操作部３０の天板１１上の設置位置を、操作部３０で反射した表示画面２１がユーザに視認できない位置とする。これにより、ユーザは、操作部３０に映り込んだ表示画面によりテンプレートの視認性が悪化することなく、快適に操作部３０に対する操作処理を行うことができる。
【００３５】
図５は、本発明の第１の実施形態における視点位置を説明するための図である。本実施形態では、ユーザの視点位置を、表示画面２１の中心位置を通る表示画面の法線と、表示装置２０が設置された端部と反対側の天板１１の端部位置における天板１１の法線とが交わる位置に視点ｐが設定されるものとする。すなわち、視点ｐの位置は、表示画面の高さＨの１／２の高さ位置であり、かつ表示画面の幅Ｗの１／２（Ｗ／２）の位置にあり、その奥行方向の位置は、表示画面２１と反対側の天板１１の端部位置になる。視点ｐから表示画面２１までの距離は、表示画面２１から天板１１の端部までの距離Ｌと同じになる。この場合、視点ｐにおいて表示画面の映り込みが発生しない領域は、斜線領域Ｓで示す領域となる。
【００３６】
図６は、本発明の第１の実施形態における操作部３０の配置例を示す図である。ここでは視点ｐの位置は図５に示す画面中央位置で、天板１１の端部位置にあるものとし、このとき視点ｐから、操作部３０に映り込んだ表示画面２１が視認できない斜線領域Ｓ内に操作部３０を配置する。この例では、操作部３０を天板の右端手前の角部に設けることとしたが、斜線領域Ｓ内であれば、適宜操作部３０を設けることができる。また、斜線領域Ｓ内に操作部３０を複数設けるようにしてもよい。
【００３７】
本実施形態の視点位置は、最も標準的な状態でユーザが表示画面を視認する位置であり、上記の配置により、操作部３０に対する表示画面２１の映り込みにより視認性を阻害されることなく、快適な操作が可能になる。またユーザの視点位置が多少動いたとしても、標準的な状態で操作部３０に対する表示画面２１の映り込みを回避しているため、通常の使用状態であれば、操作部３０に対する表示画面２１の映り込みをそれほど気にすることなく操作が可能である。
【００３８】
（実施形態２）
上記実施形態１では、視点ｐの位置を画面中央位置で天板１１の端部位置にあるものとし、このとき視点ｐから、操作部３０に映り込んだ表示画面２１が全く視認できない斜線領域Ｓ内に操作部３０を配置した。これに対して本実施形態では、視点ｐの位置を実施形態１と同じ位置に設定したときに、少なくとも操作部３０の半分の面積以上の領域で、操作部３０に映り込んだ表示画面２１が視認されない位置に、操作部３０を配置する。
【００３９】
図７は、本発明の第２の実施形態における操作部３０の配置例を示す図である。ここでは視点ｐの位置は、実施形態１と同様に図５に示す画面中央位置で、天板の端部位置にあるものとする。つまりユーザの視点ｐの位置は、表示画面２１の中心位置を通る表示画面の法線と、表示装置２０が設置された端部と反対側の天板１１の端部位置における天板１１の法線とが交わる位置に設定されるものとする。
このとき視点ｐにおいて、操作部３０に映り込んだ表示画面２１が、少なくとも操作部３０の半分の面積以上の領域で視認されない位置に操作部３０を配置する。すなわち、図７に示すように、操作部３０は、例えば少なくともその半分の面積が、斜線領域Ｓ内に入るように設置される。
【００４０】
本実施形態の視点位置は、最も標準的な状態でユーザが表示画面を視認する位置であり、上記の配置により、少なくとも半分の面積以上の領域で、操作部３０に映り込んだ表示画面２１が視認されないため、操作部３０に対する表示画面２１の映り込みにより視認性を大きく阻害されることなく、快適な操作が可能になる。またユーザの視点位置が多少動いたとしても、標準的な状態で操作部３０に対する表示画面２１の映り込みを回避しているため、通常の使用状態であれば、操作部３０に対する表示画面２１の映り込みをそれほど気にすることなく操作が可能である。
【００４１】
（実施形態３）
上記実施形態１、２では、ユーザの視点位置を画面中央で天板の端部位置に相当する固定位置とみなし、その視点位置で、操作部３０に表示画面２１が映り込むことによる操作性を阻害しないように、操作部３０を配置した。
これに対して、本実施形態では、幅方向に一定範囲で視点が動いたときに、その範囲で操作部３０に対して映り込んだ表示画面２１が操作性を阻害しないように、操作部３０を配置するものとする。
【００４２】
図８は、本発明の第３の実施形態における視点位置を説明するための図である。本実施形態では、ユーザの視点位置が、表示画面２１の中心位置を通る表示画面の法線に対して表示画面２１から該表示画面２１の幅方向にθ＝±１５°の範囲内であり、かつ表示装置２０が設置された端部と反対側の天板１１の端部位置における天板１１の法線とが交わる位置に設定されるものとする。
すなわち、視点位置は、表示画面の高さＨの１／２の高さ位置であり、その奥行方向の位置は、表示画面２１と反対側の天板１１の端部位置になる。視点位置が最も傾いたとき（表示画面の法線に対して幅方向に１５°傾いたとき）に、傾いた側の天板１１の幅方向端部から視点までの距離は、表示画面の幅をＷ、表示画面２１から天板１１の端部までの距離Ｌとするとき、Ｗ／２−Ｌ×Ｔａｎ（１５°）となる。
この視点位置を図８のｐ１，ｐ２で示す。視点位置は、幅方向にｐ１からｐ２の範囲で移動するものとする。この場合、視点ｐ１〜ｐ２の範囲において表示画面の映り込みが発生しない領域は、斜線領域Ｓで示す領域となる。
【００４３】
図９は、本発明の第３の実施形態における操作部３０の配置例を示す図である。ここでは視点の位置は図８に示す視点ｐ１〜ｐ２の範囲とする。また視点の高さは、画面中央位置（表示画面の半分の高さ位置）にあるものとする。また、視点の奥行き方向の位置は、天板１１の端部位置にあるものとする。
このとき視点ｐ１〜ｐ２の範囲から、操作部３０に映り込んだ表示画面２１が視認できない斜線領域Ｓ内に操作部３０を配置する。この例では、操作部３０を天板の右端手前の角部に設けることとしたが、斜線領域Ｓ内であれば、適宜操作部３０を設けることができる。また、斜線領域Ｓ内に操作部３０を複数設けるようにしてもよい。
【００４４】
本実施形態の視点位置の範囲は、標準的な状態でユーザが表示画面を視認する範囲に相当するものであり、上記の配置により、操作部３０に対する表示画面２１の映り込みにより視認性を阻害されることなく、快適な操作が可能になる。
【００４５】
（実施形態４）
上記実施形態３では、視点の位置を視点ｐ１〜ｐ２の範囲で、視点の高さは表示画面の半分の高さ位置で、天板１１の端部位置にあるものとし、このとき視点ｐ１〜ｐ２の範囲から、操作部３０に映り込んだ表示画面２１が全く視認できない斜線領域Ｓ内に操作部３０を配置した。これに対して本実施形態では、視点位置を実施形態３と同じ位置に設定したときに、少なくとも操作部３０の半分の面積以上の領域で、操作部３０に映り込んだ表示画面２１が視認されない位置に、操作部３０を配置する。
【００４６】
図１０は、本発明の第４の実施形態における操作部３０の配置例を示す図である。ここでは視点の位置は、実施形態３と同様に図８に示すように、視点ｐ１〜ｐ２の範囲で、視点の高さは表示画面の半分の高さ位置で、天板１１の端部位置にあるものとする。つまりユーザの視点の位置は、表示画面２１の中心位置を通る表示画面の法線に対して、表示画面の幅方向に所定角度を持った範囲と、表示装置２０が設置された端部と反対側の天板１１の端部位置における天板１１の法線とが交わる位置に設定されるものとする。
このとき視点ｐ１〜ｐ２の範囲において、操作部３０に映り込んだ表示画面２１が、少なくとも操作部３０の半分の面積以上の領域で視認されない位置に操作部３０を配置する。すなわち、図１０に示すように、操作部３０は、例えば少なくともその半分の面積が、斜線領域Ｓ内に入るように設置される。
【００４７】
本実施形態の視点位置は、標準的な状態でユーザが表示画面を視認する位置であり、上記の配置により、少なくとも半部の面積以上の領域で、操作部３０に映り込んだ表示画面２１が視認されないため、操作部３０に対する表示画面２１の映り込みにより視認性を大きく阻害されることなく、快適な操作が可能になる。
【００４８】
上記の各実施形態で記載されている技術的特徴（構成要件）は、お互いに組み合わせ可能であり、組み合わせることにより、新しい技術的特徴を形成することができる。
【符号の説明】
【００４９】
１…表示装置付机、１１…天板、２０…表示装置、２１…表示画面、３０…操作部。
【図１Ａ】
2017042501.tif 000003
【図１Ｂ】
2017042501.tif 000004
【図２】
2017042501.tif 000005
【図３Ａ】
2017042501.tif 000006
【図３Ｂ】
2017042501.tif 000007
【図４Ａ】
2017042501.tif 000008
【図４Ｂ】
2017042501.tif 000009
【図５】
2017042501.tif 000010
【図６】
2017042501.tif 000011
【図７】
2017042501.tif 000012
【図８】
2017042501.tif 000013
【図９】
2017042501.tif 000014
【図１０】
2017042501.tif 000015